Podtech/llm-jp-corpus-v4-ja_patent huggingface dataset:
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
対称軸に対して回転対称である複数の回転対称レンズと、該回転対称レンズを内包するレンズ鏡筒と、該レンズ鏡筒の端部に配置された調整レンズと、を備え、
前記調整レンズは、アナモフィック面を有する光学部と、該光学部を保持するフランジ部と、該フランジ部に設けられた複数の構造部と、を有し、
前記調整レンズは、前記複数の構造部を介して前記レンズ鏡筒に固定されていることを特徴とするレンズユニット。
【請求項２】
前記複数の構造部は、複数の凹部又は複数の凸部から成ることを特徴とする請求項１に記載のレンズユニット。
【請求項３】
前記複数の構造部は、前記レンズ鏡筒に固定される構造部以外の構造部を含むことを特徴とする請求項１又は２に記載のレンズユニット。
【請求項４】
前記複数の構造部は、３つ以上の構造部から成ることを特徴とする請求項１乃至３のいずれか１項に記載のレンズユニット。
【請求項５】
前記調整レンズと前記レンズ鏡筒との間に配置されたスペーサを備えることを特徴とする請求項１乃至４のいずれか１項に記載のレンズユニット。
【請求項６】
前記調整レンズは、接着剤によって前記レンズ鏡筒に固定されていることを特徴とする請求項１乃至５のいずれか１項に記載のレンズユニット。
【請求項７】
請求項１乃至６のいずれか１項に記載のレンズユニットと、該レンズユニットにより集光される原稿からの光を受光する読取手段と、を備えることを特徴とする画像読取装置。
【請求項８】
対称軸に対して回転対称である複数の回転対称レンズと、該回転対称レンズを内包するレンズ鏡筒と、該レンズ鏡筒の端部に配置された調整レンズと、を備えるレンズユニットの製造方法であって、
前記調整レンズは、アナモフィック面を有する光学部と、該光学部を保持するフランジ部と、該フランジ部に設けられた複数の構造部と、を有し、
前記調整レンズを調整する第１の工程と、前記調整レンズを前記複数の構造部を介して前記レンズ鏡筒に固定する第２の工程と、を有することを特徴とするレンズユニットの製造方法。
【請求項９】
前記複数の構造部は、複数の凹部又は複数の凸部から成ることを特徴とする請求項８に記載のレンズユニットの製造方法。
【請求項１０】
前記複数の構造部は、前記レンズ鏡筒に固定される構造部以外の構造部を含むことを特徴とする請求項８又は９に記載のレンズユニットの製造方法。
【請求項１１】
前記複数の構造部は、３つ以上の構造部から成ることを特徴とする請求項８乃至１０のいずれか１項に記載のレンズユニットの製造方法。
【請求項１２】
前記第１の工程は、前記レンズ鏡筒に対する前記調整レンズの相対位置を調整するステップと、前記レンズ鏡筒の前記対称軸周りの傾きを調整するステップと、を含むことを特徴とする請求項８乃至１１のいずれか１項に記載のレンズユニットの製造方法。
【請求項１３】
前記第１の工程は、直交する３軸方向における前記調整レンズの位置を調整するステップを含むことを特徴とする請求項８乃至１２のいずれか１項に記載のレンズユニットの製造方法。
【請求項１４】
前記第１の工程は、直交する３軸周りにおける前記調整レンズの傾きを調整するステップを含むことを特徴とする請求項８乃至１３のいずれか１項に記載のレンズユニットの製造方法。
【請求項１５】
前記第１の工程は、前記調整レンズと前記レンズ鏡筒との光軸方向における相対位置を調整するステップを含むことを特徴とする請求項８乃至１４のいずれか１項に記載のレンズユニットの製造方法。
【請求項１６】
前記第１の工程は、前記調整レンズと前記レンズ鏡筒との間にスペーサを配置するステップを含むことを特徴とする請求項８乃至１５のいずれか１項に記載のレンズユニットの製造方法。
【請求項１７】
前記第２の工程は、前記調整レンズを接着剤によって前記レンズ鏡筒に固定するステップを含むことを特徴とする請求項８乃至１６のいずれか１項に記載のレンズユニットの製造方法。
【請求項１８】
前記第１の工程は、前記レンズユニットにより光電変換素子上にチャートの像を形成し、前記レンズユニットの少なくとも３つの画角に対応する前記チャートの像のコントラスト性能を測定し、該コントラスト性能に応じて前記調整レンズを調整するステップを含むことを特徴とする請求項８乃至１７のいずれか１項に記載のレンズユニットの製造方法。
【請求項１９】
前記第１の工程は、前記光電変換素子の画素配列方向と、該画素配列方向に垂直な方向と、前記レンズユニットの光軸方向と、のうちの少なくとも一つの方向において、前記調整レンズの位置を調整するステップを含むことを特徴とする請求項１８に記載のレンズユニットの製造方法。
【請求項２０】
前記第１の工程は、前記レンズユニットの中心画角及び両端画角に対応する前記チャートの像のコントラスト性能同士の差を算出し、前記調整レンズの位置を調整することにより前記コントラスト性能同士の差を補正するステップを含むことを特徴とする請求項１８又は１９に記載のレンズユニットの製造方法。
【請求項２１】
前記第１の工程は、前記レンズユニットの中心画角及び両端画角に対応する前記チャートの像の平均コントラスト性能を算出し、該平均コントラスト性能に基づいて前記調整レンズの位置を調整するステップを含むことを特徴とする請求項１８乃至２０のいずれか１項に記載のレンズユニットの製造方法。
【請求項２２】
請求項８乃至２１のいずれか１項に記載の製造方法により製造されたレンズユニットと、該レンズユニットにより集光される原稿からの光を受光する読取手段と、をキャリッジに組み込む工程を有することを特徴とする画像読取装置の製造方法。
【手続補正２】
【補正対象書類名】明細書
【補正対象項目名】発明の名称
【補正方法】変更
【補正の内容】
【発明の名称】レンズユニット、画像読取装置、及びレンズユニットの製造方法
【手続補正３】
【補正対象書類名】明細書
【補正対象項目名】００１０
【補正方法】変更
【補正の内容】
【００１０】
本発明の一側面としてのレンズユニットは、対称軸に対して回転対称である複数の回転対称レンズと、該回転対称レンズを内包するレンズ鏡筒と、該レンズ鏡筒の端部に配置された調整レンズと、を備え、前記調整レンズは、アナモフィック面を有する光学部と、該光学部を保持するフランジ部と、該フランジ部に設けられた複数の構造部と、を有し、前記調整レンズは、前記複数の構造部を介して前記レンズ鏡筒に固定されていることを特徴としている。
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
基板定着部材と圧力部材とを備えた定着システムによって基板に定着した、マーキング材料画像の光沢の制御方法であって、前記定着部材および前記圧力部材は、定着していないマーキング材料を有する基板が定着用に転写される定着ニップを定義し、接触面を有する前記圧力部材は、ポリウレタンを含み、
前記定着ニップにおいて、融着していないマーキング材料を備えた基板を受け取るステップと、
前記基板に前記マーキング材料を定着させるステップであって、前記定着させるステップは、研磨可能な定着画像を形成するために、前記基板を前記圧力部材の前記接触面と接触させるステップとを含む、前記方法。
【請求項２】
前記定着部材と前記圧力部材とのうちの少なくとも１つを加熱するステップを含み、
前記加熱するステップが、約８０℃〜約１２０℃の温度で加熱するステップを有する、請求項１に記載の方法。
【請求項３】
前記定着させるステップが、前記定着ニップに約３００〜約８００ｐｓｉの圧力を加えるステップをさらに含む。請求項２に記載の方法。
【請求項４】
前記方法が、前記定着ニップから、約３ｇｇｕ未満の研磨可能な光沢レベルの低い定着画像を出力するステップをさらに含む、請求項１に記載の方法。
【請求項５】
研磨システムが定着ニップの下流に設置され、前記定着画像を研磨して、約２ｇｇｕよりも大きいおよび約３０ｇｇｕと同等の、または前記約３０ｇｇｕ未満の、高い光沢または中間の光沢を有する画像を形成するステップをさらに含む、請求項１に記載の方法。
【請求項６】
基板にマーキング材料を定着させるように構成された定着システムであって、定着ニップを定義する定着部材と圧力部材とを備え、接触面を有する前記圧力部材は、研磨可能な、光沢の少ない定着画像を出力するために、定着している間に前記基板と接触するポリウレタンを含む前記定着システムを含む、定着画像光沢制御装置。
【請求項７】
前記定着ニップが、約８０℃〜約１２０℃の定着温度を有する、請求項６に記載の装置。
【請求項８】
前記定着ニップが、約３００ｐｓｉ〜約８００ｐｓｉの定着圧力を持つ、請求項６に記載の装置。
【請求項９】
前記定着部材と前記圧力部材とのうちの少なくとも１つが、約８０℃〜約１２０℃の温度で加熱されている、請求項６に記載の装置。
【請求項１０】
前記定着システムが、所望の光沢レベルを作り出すために、前記定着画像を適宜研磨するための研磨システムの上流に設置され、前記研磨システムは、前記定着画像を接触させるための少なくとも１つのロールを含む、請求項６に記載の装置。
【手続補正２】
【補正対象書類名】明細書
【補正対象項目名】発明の名称
【補正方法】変更
【補正の内容】
【発明の名称】基板に定着した画像の光沢の制御方法及び制御装置
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
像担持体と、
前記像担持体に帯電電圧を印加する帯電手段と、
前記像担持体に形成される静電像をトナーによって現像する現像手段と、
記録媒体に転写電圧を印加し、前記像担持体に形成されたトナー像を記録媒体に転写する転写手段と、
前記転写手段によりトナー像が転写された記録媒体を前記像担持体から分離するための分離除電部材と、
前記分離除電部材に流れる電流を検出する電流検出手段と、
前記像担持体の前記帯電手段による帯電により前記電流検出手段によって検出される電流値に基づいて、前記分離除電部材の状態を判定する判定手段と、を設けたことを特徴とする画像形成装置。
【請求項２】
前記判定手段は、前記転写手段に転写電圧を印加した状態で前記電流検出手段によって検出される電流値に基づいて、前記分離除電部材と前記分離除電部材を支持する支持部材の状態を判定することを特徴とする請求項１記載の画像形成装置。
【請求項３】
前記判定手段は、前記帯電手段による帯電により前記電流検出手段によって検出される電流値と、前記転写手段による転写電圧の印加により前記電流検出手段によって検出される電流値とに基づいて、前記分離除電部材を支持する支持部材の状態を判定することを特徴とする請求項１記載の画像形成装置。
【請求項４】
前記判定手段が前記分離除電部材の状態を判定する場合は、前記像担持体と前記分離除電部材間の放電量が前記転写手段と前記分離除電部材間の放電量よりも大きくなるように、前記帯電電圧、前記転写電圧を設定することを特徴とする請求項１または請求項２に記載の画像形成装置。
【請求項５】
前記判定手段が前記分離除電部材の状態を判定する場合は、前記帯電手段に前記帯電電圧が印加された前記像担持体と、該像担持体に先端が対向するように配置された前記分離除電部材との間に発生する放電量が前記転写電圧を印加した前記転写手段と該転写手段に隣合うように配置された前記分離除電部材との間に発生する放電量より大きくなるように転写電圧を印加しつつ、前記帯電手段に前記帯電電圧を印加した状態で電流値を検出することを特徴とする請求項４に記載の画像形成装置。
【請求項６】
前記判定手段が前記分離除電部材の状態を判定する場合は、前記転写手段に前記転写電圧を印加せずに、前記帯電手段に前記帯電電圧を印加した状態で電流値を検出することを特徴とする請求項１に記載の画像形成装置。
【請求項７】
前記判定手段が前記分離除電部材の状態を判定する場合は、記録媒体を通紙せずに、前記帯電手段に前記帯電電圧を印加した状態で電流値を検出することを特徴とする請求項１に記載の画像形成装置。
【請求項８】
前記判定手段が前記分離除電部材と前記分離除電部材を支持する支持部材の状態を判定する場合は、前記転写手段と前記分離除電部材間の放電量が前記像担持体と前記分離除電部材間の放電量よりも大きくなるように、前記帯電電圧、前記転写電圧を設定することを特徴とする請求項２に記載の画像形成装置。
【請求項９】
前記判定手段が前記分離除電部材と前記分離除電部材を支持する支持部材の状態を判定する場合は、前記転写手段に前記転写電圧を印加したときの前記転写手段と前記分離除電部材との間に生ずる放電量が前記帯電手段に前記帯電電圧を印加したときの前記像担持体と前記分離除電部材との間に生ずる放電量より大きくなるように帯電電圧を印加しつつ、前記転写手段に前記転写電圧を印加した状態で前記電流値を検出することを特徴とする請求項８に記載の画像形成装置。
【請求項１０】
前記判定手段が前記分離除電部材と前記分離除電部材を支持する支持部材の状態を判定する場合は、前記帯電手段に画像形成時と同様の前記帯電電圧を印加しつつ前記転写手段に前記転写電圧を印加した状態で前記電流値を検出することを特徴とする請求項１乃至請求項５のいずれか１項に記載の画像形成装置。
【請求項１１】
前記判定手段が前記分離除電部材と前記分離除電部材を支持する支持部材の状態を判定する場合は、前記帯電手段に前記帯電電圧を印加せずに、前記転写手段に前記転写電圧を印加した状態で電流値を検出することを特徴とする請求項１乃至請求項５のいずれか１項に記載の画像形成装置。
【請求項１２】
前記判定手段の判定に基づいて、使用者に報知するために設けられた報知手段が前記分離除電部材に関する報知を行うことを特徴とする請求項１乃至請求項１０のいずれか１項に記載の画像形成装置。
【請求項１３】
前記判定手段の判定に基づいて、前記分離除電部材をクリーニングするために設けられたクリーニング手段が前記分離除電部材をクリーニングすることを特徴とする請求項１乃至請求項１１のいずれか１項に記載の画像形成装置。
【請求項１４】
前記判定手段は、前記電流値に基づいて前記分離除電部材の交換要否を判別し、交換を不要と判別した場合には、前記電流値に基づいて前記分離除電部材のクリーニングの要否を判別することを特徴とする請求項１乃至請求項１２のいずれか１項に記載の画像形成装置。
【請求項１５】
画像形成装置本体内の環境を検知する環境検知手段を備え、前記判定手段は、前記環境検知手段によって検知された環境に応じて前記電流値に関する閾値を設定するテーブルを有していることを特徴とする請求項１ないし請求項１３のいずれか１項に記載の画像形成装置。
【請求項１６】
前記判定手段の判別結果に基づいて前記分離除電部材を交換、又はクリーニングする旨の報知表示をおこなう表示手段とを備えることを特徴とする請求項１２又は請求項１３に記載の画像形成装置。
【請求項１７】
前記判定手段による判定タイミングは、所定枚数の画像形成が実行された後、またはジャム処理が実行された後であることを特徴とする請求項１乃至請求項１５のいずれか１項に記載の画像形成装置。
【請求項１８】
記録媒体に転写電圧を印加し、像担持体に形成されたトナー像を前記記録媒体に転写する転写手段と、
前記転写手段によりトナー像が転写された記録媒体を前記像担持体から分離するための分離除電部材と、
前記分離除電部材に流れる電流を検出する電流検出手段と、
前記転写手段の転写電圧により前記電流検出手段によって検出される電流値に基づいて、前記分離除電部材が所定の状態であることを表示する表示手段と、
を設けたことを特徴とする画像形成装置。
【手続補正２】
【補正対象書類名】明細書
【補正対象項目名】００１１
【補正方法】変更
【補正の内容】
【００１１】
上記目的を達成するための本発明に係る代表的な構成は、像担持体と、前記像担持体に帯電電圧を印加する帯電手段と、前記像担持体に形成される静電像をトナーによって現像する現像手段と、記録媒体に転写電圧を印加し、前記像担持体に形成されたトナー像を記録媒体に転写する転写手段と、前記転写手段によりトナー像が転写された記録媒体を前記像担持体から分離するための分離除電部材と、前記分離除電部材に流れる電流を検出する電流検出手段と、前記像担持体の前記帯電手段による帯電により前記電流検出手段によって検出される電流値に基づいて、前記分離除電部材の状態を判定する判定手段と、を設けたことを特徴とする。
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
マトリクス状に配列されたＮ個（Ｎは自然数）の画素と、
Ｍ個（Ｎは自然数）の光電変換素子と、を有する表示装置であって、
前記Ｎ個の画素と前記Ｍ個の光電変換素子とは、表示部に設けられ、
Ｎ個の数はＭ個の数より大きく、
光ポインティング装置から射出されるレーザ光を前記表示部に照射した際の前記表示部における位置を、前記光電変換素子で検出し、
前記レーザ光で前記表示部を照射することで、前記表示装置を遠隔操作することができ、
前記Ｍ個光電変換素子は、それぞれ、ダイオード接続された第１のトランジスタと、容量素子と、第２のトランジスタと、第３のトランジスタとを有し、
前記第１のトランジスタのゲートはリセット信号線に電気的に接続され、
前記第１のトランジスタのソース又はドレインの一方は、前記容量素子の第１の電極に電気的に接続され、
前記第１のトランジスタのソース又はドレインの一方は、前記第２のトランジスタのゲートに電気的に接続され、
前記第２のトランジスタのソース又はドレインの一方は、前記第３のトランジスタのソース又はドレインの一方に電気的に接続され、
前記第１のトランジスタのソース又はドレインの他方は、電源電位線に電気的に接続され、
前記第２のトランジスタのソース又はドレインの他方は、読み出し線に電気的に接続され、
前記第２のトランジスタのゲートは、セレクト線に電気的に接続され、
前記Ｎ個の画素は、それぞれ、第４のトランジスタを有することを特徴とする表示装置。
【請求項２】
請求項１において、
前記第１のトランジスタは、
ゲート電極と、
前記ゲート電極上のゲート絶縁膜と、
前記ゲート絶縁膜上の複数の結晶領域を有する半導体膜と、
前記半導体膜上の一対の非晶質半導体領域と、
前記一対の非晶質半導体領域の上の一対の不純物半導体膜と、
前記一対の不純物半導体膜上のドレイン電極およびソース電極と、を有することを特徴とする表示装置。
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
対向する一対の基板上に設けられた一対の透明電極層と、前記一対の透明電極層に挟まれた電解質層およびエレクトロクロミック層を有し、前記一対の透明電極層間に印加される電圧によって光の透過率が変化するエレクトロクロミック素子において、前記エレクトロクロミック層はアモルファス酸化チタンからなる複数の柱状構造体からなり、前記複数の柱状構造体が基板法線に対して傾斜しており、且つ波長３５０ｎｍ以上７５０ｎｍ以下の範囲の光に対して、前記エレクトロクロミック層の屈折率の最大値と最小値の差が０．５未満であることを特徴とするエレクトロクロミック素子。
【請求項２】
前記複数の柱状構造体の傾斜している方向は、同一であることを特徴とする請求項１に記載のエレクトロクロミック素子。
【請求項３】
前記柱状構造体が斜方蒸着にて形成されることを特徴とする請求項１または２に記載のエレクトロクロミック素子。
【請求項４】
請求項１乃至３のいずれか一項に記載のエレクトロクロミック素子を有することを特徴とするＮＤフィルタ。
【請求項５】
請求項４に記載のＮＤフィルタを有することを特徴とするカメラ。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
記録手段に記録された撮像画像から切り出された切出画像をクライアント装置に送信する送信装置であって、
複数のクライアント装置が前記撮像画像から切り出した前記切出画像の範囲を示す情報を取得する取得手段と、
前記切出画像の範囲を示す情報に基づいて、クライアント装置のユーザに対応する切り出し画像を送信する送信手段とを有することを特徴とする送信装置。
【請求項２】
前記送信手段は、前記記録手段に記録された撮像画像から切り出された切出画像を管理者権限を有するユーザのクライアント装置に表示させる場合には、前記複数の切出画像を前記管理者権限を有するユーザのクライアント装置に送信し、前記記録手段に記録された撮像画像から切り出された切出画像を管理者権限を有さないユーザのクライアント装置に表示させる場合には、前記管理者権限を有さないユーザのクライアント装置に対応する切出画像を前記管理者権限を有さないユーザのクライアント装置に送信することを特徴とする請求項１に記載の送信装置。
【請求項３】
前記記録手段に記録された撮像画像から切り出された切出画像を管理者権限を有するクライアント装置に表示させる場合には、前記送信手段は、前記切出画像の切出しを指示したクライアント装置を識別するための識別情報を、前記管理者権限を有するクライアント装置に送信することを特徴とする請求項１に記載の送信装置。
【請求項４】
記録手段に記録された撮像画像およびクライアント装置が撮像画像から切り出した切り出し画像の範囲を示す情報を表示装置に送信する送信装置であって、
複数のクライアント装置が前記撮像画像から切り出した前記切出画像の範囲を示す情報を取得する取得手段と、
前記記録手段に記録された撮像画像、およびクライアント装置のユーザに対応する切り出し画像を送信する送信手段とを有することを特徴とする送信装置。
【請求項５】
記録手段に記録された撮像画像から切り出された切出画像をクライアント装置に送信する送信方法であって、
複数のクライアント装置が前記撮像画像から切り出した前記切出画像の範囲を示す情報を取得する取得ステップと、
前記切出画像の範囲を示す情報に基づいて、クライアント装置のユーザに対応する切り出し画像を送信する送信ステップとを有することを特徴とする送信方法。
【請求項６】
請求項５に記載の送信方法をコンピュータに実行させるためのプログラム。
【請求項７】
記録手段に記録された撮像画像およびクライアント装置が撮像画像から切り出した切り出し画像の範囲を示す情報を表示装置に送信する送信方法であって、
複数のクライアント装置が前記撮像画像から切り出した前記切出画像の範囲を示す情報を取得する取得ステップと、
前記記録手段に記録された撮像画像、およびクライアント装置のユーザに対応する切り出し画像を送信する送信ステップとを有することを特徴とする送信方法。
【請求項８】
請求項７に記載の送信方法をコンピュータに実行させるためのプログラム。
【手続補正２】
【補正対象書類名】明細書
【補正対象項目名】発明の名称
【補正方法】変更
【補正の内容】
【発明の名称】送信装置、送信方法、及びプログラム
【手続補正３】
【補正対象書類名】明細書
【補正対象項目名】０００７
【補正方法】変更
【補正の内容】
【０００７】
上記目的を達成するため、本発明に係る送信装置は、記録手段に記録された撮像画像から切り出された切出画像をクライアント装置に送信する送信装置であって、複数のクライアント装置が前記撮像画像から切り出した前記切出画像の範囲を示す情報を取得する取得手段と、前記切出画像の範囲を示す情報に基づいて、クライアント装置のユーザに対応する切り出し画像を送信する送信手段とを有する。
【手続補正書】
【提出日】平成27年3月21日(2015.3.21)
【手続補正１】
【補正対象書類名】特許請求の範囲
【補正対象項目名】請求項４
【補正方法】変更
【補正の内容】
【請求項４】
前記筒状部の端部近傍に、不規則な蛇腹状に収縮した前記筒状部を被覆するカバー体を備えた請求項１乃至３のいずれか１項に記載のイヤホン収容体。
【手続補正２】
【補正対象書類名】明細書
【補正対象項目名】０００９
【補正方法】変更
【補正の内容】
【０００９】
【特許文献１】特開２０１１−１９９７１３号公報
【特許文献２】特開２０１１−０６６７５８号公報
【特許文献３】実登３１０２２０９号公報
【特許文献４】実登３１３２９８３号公報
【手続補正３】
【補正対象書類名】明細書
【補正対象項目名】００２３
【補正方法】変更
【補正の内容】
【００２３】
請求項４に記載の発明では、前記筒状部の端部近傍に、不規則な蛇腹状に収縮した前記筒状部を被覆するカバー体を備えた請求項１乃至３のいずれか１項に記載のイヤホン収容体。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
写真撮影遊戯機と、前記写真撮影遊戯機でプレイしたユーザのユーザ端末とアクセス可能なサーバとを備えた写真撮影遊戯システムであって、
前記写真撮影遊戯機は、
複数の通常合成画像を生成する第１生成手段と、
前記通常合成画像とは異なる特殊合成画像を生成する第２生成手段と、
生成された複数の前記通常合成画像から前記通常合成画像の選択を受け付ける選択手段と、
生成された前記複数の通常合成画像及び前記特殊合成画像を前記サーバに送信する送信手段とを備え、
前記サーバは、
前記写真撮影遊戯機から送信された前記複数の通常合成画像、及び前記特殊合成画像を記憶する記憶手段と、
前記ユーザ端末からアクセスされたとき、前記ユーザ端末を利用するユーザが有料会員か否かを判別する判別手段と、
前記ユーザが有料会員である場合、前記記憶手段に記憶された全ての前記通常合成画像及び前記特殊合成画像を提供する有料画像提供手段と、
前記ユーザが有料会員でない場合、前記記憶手段に記憶され、前記選択手段で選択された通常合成画像及び前記特殊合成画像を提供する無料画像提供手段とを備える、写真撮影遊戯システム。
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
画像形成を行うための画像データを処理する画像処理装置であって、
前記画像データのうち、黒ラインおよび当該黒ラインに隣接する黒ライン以外のラインそれぞれの連続するライン数を用いて、複数の黒ラインからなる黒地エリアを判定する黒地エリア判定手段と、
前記黒地エリア判定手段にて判定された黒地エリアに含まれるライン数に基づき、画素の値を変換するための間引きパターンを切り替えて前記黒地エリアに対する間引き処理を行う間引き処理手段と
を有することを特徴とする画像処理装置。
【請求項２】
前記黒地エリア判定手段は、連続する黒ラインのライン数が第一の閾値より大きく、かつ、当該連続する黒ラインに続く連続する黒ライン以外のライン数が第二の閾値より大きい場合に、前記連続する黒ラインを黒地エリアと判定することを特徴とする請求項１に記載の画像処理装置。
【請求項３】
前記間引き処理手段は、前記黒地エリアと黒地エリア以外のエリアとで間引き処理に用いる間引きパターンを切り替えることを特徴とする請求項１または２に記載の画像処理装置。
【請求項４】
前記黒地エリアに適用する間引きパターンは、黒地エリア以外のエリアに適用する間引きパターンよりも変換する画素の割合を抑制することを特徴とする請求項３に記載の画像処理装置。
【請求項５】
画像形成を行うための画像データを処理する画像処理装置であって、
複数の黒ラインからなる黒地エリアに対して画素の値を変換する間引き処理を行う際に、当該黒地エリアの隣接する黒地エリア以外のエリアに含まれるライン数に基づき、当該黒地エリアに適用する画素の値を変換するための間引きパターンを切り替える間引き処理手段を有することを特徴とする画像処理装置。
【請求項６】
前記黒地エリア以外のエリアは、副走査方向において前記黒地エリアの直前に隣接する連続した白ラインから構成されることを特徴とする請求項５に記載の画像処理装置。
【請求項７】
前記間引き処理手段は、前記黒地エリアに適用する間引きパターン、前記適用する間引きパターンのうちの用いる部分、および前記黒地エリアにおいて間引きパターンを適用する位置、を前記黒地エリアに含まれるライン数に基づいて切り替えることを特徴とする請求項１乃至６のいずれか一項に記載の画像処理装置。
【請求項８】
前記画像データに対して、間引き処理以外の第二の画像処理を適用する画像処理手段と、
前記間引き処理手段および前記画像処理手段による前記画像データに対する処理結果の中から画像形成に用いる値を選択する選択手段と
を更に有することを特徴とする請求項１乃至７のいずれか一項に記載の画像処理装置。
【請求項９】
前記第二の画像処理は、画像データに対するスムージング処理、太らせ処理、およびトナーセーブ処理の少なくともいずれかであることを特徴とする請求項８に記載の画像処理装置。
【請求項１０】
画像形成を行うための画像データを処理する画像処理方法であって、
黒地エリア判定手段が、前記画像データのうち、黒ラインおよび当該黒ラインに隣接する黒ライン以外のラインそれぞれの連続するライン数を用いて、複数の黒ラインからなる黒地エリアを判定する黒地エリア判定工程と、
間引き処理手段が、前記黒地エリア判定工程にて判定された黒地エリアに含まれるライン数に基づき、画素の値を変換するための間引きパターンを切り替えて前記黒地エリアに対する間引き処理を行う間引き処理工程と
を有することを特徴とする画像処理方法。
【請求項１１】
画像形成を行うための画像データを処理する画像処理方法であって、
複数の黒ラインからなる黒地エリアに対して画素の値を変換する間引き処理を行う際に、当該黒地エリアの隣接する黒地エリア以外のエリアに含まれるライン数に基づき、当該黒地エリアに適用する画素の値を変換するための間引きパターンを切り替える間引き処理工程を有することを特徴とする画像処理方法。
【請求項１２】
コンピュータを、
画像データのうち、黒ラインおよび当該黒ラインに隣接する黒ライン以外のラインそれぞれの連続するライン数を用いて、複数の黒ラインからなる黒地エリアを判定する黒地エリア判定手段、
前記黒地エリア判定手段にて判定された黒地エリアに含まれるライン数に基づき、画素の値を変換するための間引きパターンを切り替えて前記黒地エリアに対する間引き処理を行う間引き処理手段
として機能させるためのプログラム。
【請求項１３】
コンピュータを、
複数の黒ラインからなる黒地エリアに対して画素の値を変換する間引き処理を行う際に、当該黒地エリアの隣接する黒地エリア以外のエリアに含まれるライン数に基づき、当該黒地エリアに適用する画素の値を変換するための間引きパターンを切り替える間引き処理手段として機能させるためのプログラム。
【請求項１４】
画像データに含まれるライン画像に隣接する第１の所定濃度以下の領域の副走査方向の幅が第１の所定値未満、かつ、前記ライン画像の周辺の第２の所定濃度以上の領域の副走査方向の幅が第２の所定値以上の場合には、前記ライン画像に隣接する前記第１の所定濃度以下の領域の副走査方向の幅が前記第１の所定値以上、かつ、前記ライン画像の周辺の前記第２の所定濃度以上の領域の副走査方向の幅が前記第２の所定値未満の場合よりも、前記ライン画像に対して濃度を低減する量を小さくするように制御する制御手段と、
前記制御手段によって制御された濃度低減量により、前記ライン画像に対して濃度低減処理を行う処理手段と
を有することを特徴とする画像処理装置。
【請求項１５】
前記制御手段において、前記ライン画像に対する濃度低減量は０であることを特徴とする請求項１４に記載の画像処理装置。
【請求項１６】
前記制御手段において、前記濃度低減量が０の場合、前記処理手段は実行されないことを特徴とする請求項１４に記載の画像処理装置。
【請求項１７】
画像データに含まれるライン画像に隣接する第１の所定濃度以下の領域の副走査方向の幅が第１の所定値未満、かつ、前記ライン画像の周辺の第２の所定濃度以上の領域の副走査方向の幅が第２の所定値以上の場合には、前記ライン画像に隣接する前記第１の所定濃度以下の領域の副走査方向の幅が前記第１の所定値以上、かつ、前記ライン画像の周辺の前記第２の所定濃度以上の領域の副走査方向の幅が前記第２の所定値未満の場合よりも、前記ライン画像に対して濃度を低減する量を小さくするように制御する制御工程と、
前記制御工程にて制御された濃度低減量により、前記ライン画像に対して濃度低減処理を行う処理工程と
を有することを特徴とする画像処理方法。
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
遊技者の操作を受け付け可能な操作手段と、所定の表示演出を行う可変表示手段を制御する表示制御手段と、複数の遊技状態を制御可能な制御手段と、を備える遊技機であって、
前記操作手段は、前記可変表示手段を備え、
前記表示制御手段は、
所定の遊技価値が付与されることを示す確定演出前に所定の識別情報を表示する第１の表示制御と、
遊技状態に対応する識別情報を表示する第２の表示制御と、を実行可能とする
ことを特徴とする遊技機。
【請求項２】
前記表示制御手段は、前記第１の表示制御において、遊技価値の付与される期待度に応じて複数種類の識別情報のうちいずれかの識別情報を選択する
ことを特徴とする請求項１記載の遊技機。
【請求項３】
前記識別情報として所定のキャラクタを表示可能である
ことを特徴とする請求項１又は２記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、操作手段自体で演出等を表現できる遊技機の提供を目的とする。
【手続補正４】
【補正対象書類名】明細書
【補正対象項目名】０００７
【補正方法】変更
【補正の内容】
【０００７】
上記目的を達成するため、本発明の遊技機は、遊技者の操作を受け付け可能な操作手段と、所定の表示演出を行う可変表示手段を制御する表示制御手段と、複数の遊技状態を制御可能な制御手段と、を備える遊技機であって、前記操作手段は、前記可変表示手段を備え、前記表示制御手段は、所定の遊技価値が付与されることを示す確定演出前に所定の識別情報を表示する第１の表示制御と、遊技状態に対応する識別情報を表示する第２の表示制御と、を実行可能とする構成としてある。
【手続補正５】
【補正対象書類名】明細書
【補正対象項目名】０００８
【補正方法】削除
【補正の内容】
【手続補正６】
【補正対象書類名】明細書
【補正対象項目名】０１１５
【補正方法】削除
【補正の内容】
【手続補正書】
【提出日】平成27年9月14日(2015.9.14)
【手続補正１】
【補正対象書類名】明細書
【補正対象項目名】００３５
【補正方法】変更
【補正の内容】
【００３５】
カートリッジベース２３の上側には、チューブユニット５２が設けられている。チューブユニット５２は、前述のチューブ２１及び複数のフィンガー２２と、ユニットベース２５１と、ユニットカバー２５２とを有する。ユニットベース２５１にはチューブ案内壁２５１Ａが形成されており、ユニットベース２５１の内部においてチューブ２１が円弧形状に配置されている。また、ユニットベース２５１は、フィンガー２２を軸方向に可動に支持している。ユニットベース２５１内のチューブ２１とフィンガー２２は、ユニットカバー２５２によって覆われている。
【手続補正２】
【補正対象書類名】明細書
【補正対象項目名】００３６
【補正方法】変更
【補正の内容】
【００３６】
チューブユニット５２は平坦な円筒形状になっており、チューブユニット５２の中央の空洞に本体１０から露出しているカム１１が挿入されることになる。これにより、本体１０側のカム１１とカートリッジ２０側のフィンガー２２とが噛み合うことになる。
【手続補正３】
【補正対象書類名】明細書
【補正対象項目名】００３７
【補正方法】変更
【補正の内容】
【００３７】
カートリッジベース２３には、供給側継手２３１及び排出側継手２３２が設けられている。供給側継手２３１及び排出側継手２３２には、チューブユニット５２内のチューブ２１の端部がそれぞれ接続される。複数のフィンガー２２がチューブ２１を順に圧搾すると、供給側継手２３１から液体がチューブ２１に供給されるとともに、排出側継手２３２から液体が排出される。排出側継手２３２には接続針２３３が連通しており、排出側継手２３２から排出された液体は、接続針２３３を介して、パッチ３０側に供給されることになる。
【手続補正４】
【補正対象書類名】明細書
【補正対象項目名】００４７
【補正方法】変更
【補正の内容】
【００４７】
ポートベース３３は、カートリッジ２０の接続針２３３から供給される液体をソフトニードル３１に供給する部材である。ポートベース３３は、接続針用セプタム３３Ａと、導入針用セプタム３３Ｂとを有する。接続針用セプタム３３Ａ及び導入針用セプタム３３Ｂは、針を抜くと穴が塞がる材料（例えばゴム、シリコン等）で構成されている。接続針用セプタム３３Ａにはカートリッジ２０の接続針２３３が挿通され、液体は、接続針２３３を介して接続針用セプタム３３Ａ越しに、カートリッジ２０側からパッチ３０側に供給される。カートリッジ２０の交換のためにカートリッジ２０の接続針２３３がパッチ３０から抜かれても、接続針用セプタム３３Ａの接続針２３３による穴は自然に塞がる。導入針用セプタム３３Ｂには導入針３２Ａが挿通されており、導入針３２Ａが引き抜かれると、導入針用セプタム３３Ｂの導入針３２Ａによる穴は自然に塞がる。接続針用セプタム３３Ａ及び導入針用セプタム３３Ｂにより、パッチ３０内の液体が外部に漏れたり、生体の体液がパッチ３０側に逆流したりすることが防止される。なお、ポートベース３３内で導入針３２Ａの存在した領域（導入針用セプタム以外の領域）は、導入針３２Ａの抜き取り後には液体の流路となる。
【手続補正５】
【補正対象書類名】明細書
【補正対象項目名】００５４
【補正方法】変更
【補正の内容】
【００５４】
次に、使用者は、導入針３２Ａの存在した領域（導入針用セプタム以外の領域）の容量分の液体を輸送するように、ポンプ部５を予備動作させる（Ｓ００５）。これにより、導入針３２Ａの存在した空間を液体で充満させることができる。
【手続補正６】
【補正対象書類名】明細書
【補正対象項目名】００８５
【補正方法】変更
【補正の内容】
【００８５】
１  液体輸送装置、５  ポンプ部、
１０  本体、 １１  カム、  １２  駆動機構、
１２１  圧電モーター、１２２  ローター、１２３  減速伝達機構、
１３  本体ベース、１３Ａ  ベアリング、
１４  本体ケース、１５  制御基板、１６  フック掛け、
１８  電池収納部、１９  電池、
２０  カートリッジ、２１  チューブ、２２  フィンガー、
２３  カートリッジベース、２３１  供給側継手、２３２  排出側継手、
２３３  接続針、２３４  固定フック、
２４  ベース受け、５２  チューブユニット、
２５１  ユニットベース、２５１Ａ  チューブ案内壁、２５２  ユニットカバー、
２５  リザーバーフィルム、２６  貯留部、２７  カートリッジセプタム、
３０  パッチ、３１  ソフトニードル、３２  導入針フォルダ、３２Ａ  導入針、
３３  ポートベース、３３Ａ  接続針用セプタム、３３Ｂ  導入針用セプタム、
３４  パッチベース、３４Ａ  固定部、３５  粘着パッド、
７０  監視装置、７１  第１電極、７２  第２電極、
７３  インピーダンス測定部、７４  閉塞判定部
【手続補正７】
【補正対象書類名】図面
【補正対象項目名】図８
【補正方法】変更
【補正の内容】
【図８】
2014087450.tif 000001
【手続補正書】
【提出日】平成27年10月9日(2015.10.9)
【手続補正１】
【補正対象書類名】明細書
【補正対象項目名】発明の名称
【補正方法】変更
【補正の内容】
【発明の名称】バンド及び時計
【手続補正２】
【補正対象書類名】明細書
【補正対象項目名】０００１
【補正方法】変更
【補正の内容】
【０００１】
この発明は、時計バンドなどのバンド及び時計に関する。
【手続補正３】
【補正対象書類名】明細書
【補正対象項目名】０００６
【補正方法】変更
【補正の内容】
【０００６】
この発明が解決しようとする課題は、成型時のヒケによる成型不良を防ぎ、かつ少ない部品点数で組み立て作業性および生産性の向上を図ることができるバンド及び時計を提供することである。
【手続補正４】
【補正対象書類名】特許請求の範囲
【補正対象項目名】全文
【補正方法】変更
【補正の内容】
【特許請求の範囲】
【請求項１】
一端部に凸部が設けられ、他端部に前記凸部が配置可能な凹部が設けられたバンド駒を順次連結してなるバンドにおいて、
前記バンド駒は、合成樹脂製の上部駒と合成樹脂製の下部駒とを備え、
前記上部駒は、前記バンド駒の前記凸部に対応する一対の突起部と、前記バンド駒の前記凹部の両側に位置し、かつ内部に空間部が形成された一対の外装部とを有し、
前記下部駒は、前記上部駒の前記一対の突起部間に配置される挿入突起部と、前記上部駒における前記一対の外装部の前記空間部にそれぞれ配置される一対の内装部とを有していることを特徴とするバンド。
【請求項２】
請求項１に記載のバンドにおいて、前記上部駒と前記下部駒とは、硬質の合成樹脂によって形成されていることを特徴とするバンド。
【請求項３】
請求項１または請求項２に記載のバンドにおいて、前記上部駒と前記下部駒との各接合面には、互いに係合して前記上部駒と前記下部駒とを接合するための複数の係合部が設けられていることを特徴とするバンド。
【請求項４】
請求項１〜請求項３のいずれかに記載のバンドにおいて、前記上部駒の前記一対の突起部と前記下部駒の前記挿入突起部とには、第１ピン挿入孔が連続して設けられており、前記上部駒の前記一対の外装部と前記下部駒の前記一対の内装部とには、前記バンド駒の前記凸部がこれに隣接する他の前記バンド駒の前記凹部に配置された際に、前記第１ピン挿入孔に対応する第２ピン挿入孔が設けられていることを特徴とするバンド。
【請求項５】
請求項４に記載のバンドにおいて、前記第１ピン挿入孔と前記第２ピン挿入孔とには、ばね棒が挿入されていることを特徴とするバンド。
【請求項６】
請求項４に記載のバンドにおいて、前記第１ピン挿入孔と前記第２ピン挿入孔とには、ピン部材が抜止め部材を介して挿入されていることを特徴とするバンド。
【請求項７】
請求項６に記載のバンドにおいて、前記第１ピン挿入孔は、前記上部駒の前記一対の突起部に設けられた上駒貫通孔と、前記下部駒の前記挿入突起部に設けられた下駒貫通孔とを有し、前記上駒貫通孔の内径が前記下駒貫通孔の内径よりも小さく形成され、前記下駒貫通孔内に前記抜止め部材が配置されていることを特徴とするバンド。
【請求項８】
請求項１〜請求項７のいずれかに記載のバンドを備えていることを特徴とする時計。
【手続補正書】
【提出日】平成27年9月16日(2015.9.16)
【手続補正１】
【補正対象書類名】特許請求の範囲
【補正対象項目名】請求項３
【補正方法】変更
【補正の内容】
【請求項３】
前記第２レッグ弾性体は、前記前ウエスト域側から後方へ延びる直状部と、前記後ウエスト域側において前記縦方向の外側へ向かうにつれて次第に前記横方向の外側へ延びる曲状部を有する請求項２に記載のおむつ。
【手続補正書】
【提出日】平成27年9月16日(2015.9.16)
【手続補正１】
【補正対象書類名】特許請求の範囲
【補正対象項目名】請求項２
【補正方法】変更
【補正の内容】
【請求項２】
前記レッグ弾性体は、複数条のストリング状又はストランド状の弾性材料から形成されており、前記サイド弾性部の内側縁に沿って前記縦方向へ延びる第１弾性体と、前記第１弾性体の前記横方向の外側に位置して前記縦方向へ延びる第２弾性体とを有し、前記第２弾性体は、前記前ウエスト域側から後方へ延びる直状部と、前記後ウエスト域側において前記縦方向の外側へ向かうにつれて次第に前記横方向の外側へ延びる曲状部とを有する請求項１に記載のおむつ。
【手続補正２】
【補正対象書類名】明細書
【補正対象項目名】００４４
【補正方法】変更
【補正の内容】
【００４４】
上記段落００４３に開示した本発明は、少なくとも下記の実施の形態を含むことができる。
（１）前記レッグ弾性体は、複数条のストリング状又はストランド状の弾性材料から形成されており、前記サイド弾性部の内側縁に沿って前記縦方向へ延びる第１弾性体と、前記第１弾性体の前記横方向の外側に位置して前記縦方向へ延びる第２弾性体とを有し、前記第２弾性体は、前記前ウエスト域側から後方へ延びる直状部と、前記後ウエスト域側において前記縦方向の外側へ向かうにつれて次第に前記横方向の外側へ延びる曲状部とを有する。
（２）前記受止部の前記横方向の寸法は、前記サイド弾性部の前記内側縁どうしの前記横方向における離間寸法よりも大きく、前記受止部の前記横方向において互いに対向する両側縁は、最も前記横方向の外側に位置する前記レッグ弾性体の前端部よりも前記横方向の外側に位置する。
（３）前記前ウエスト域において、前記シャーシの前記主体部の前端部と前記弾性サイド部の内側縁とに接合された前連結パネルを有し、前記受止部が前記前連結パネルの接合域の少なくとも一部と重なって位置する。
（４）前記受止部は、前記前ウエスト域の前記非肌対向面を形成するシート部材とは別体のシート部材から形成される。
（５）前記受止部は、前記前ウエスト域の前記非肌対向面を形成する繊維不織布シートから形成される。
（６）前記吸液構造体は、透液性の身体側ライナと吸液層とを有し、前記吸液層は、透液性の第１シートと、透液性又は不透液性の第２シートと、第１及び第２シート間に介在された吸収性ポリマー粒子とを有する。
（７）前記受止部の内端縁と前記レッグ弾性体の前端部との前記縦方向における離間寸法が、約１０〜５０ｍｍである。
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
樹脂管（２０，３０）を保持する円筒形保持部（３，９，３Ｘ，３Ｙ）と、
該円筒形保持部（３，９，３Ｘ，３Ｙ）の軸線（Ｚ）に対して垂直な平面（２ａ）であり、前記樹脂管（２０，３０）の端面が当接する平面（２ａ）を有する本体部（２，２Ｘ）と、
該本体部（２，２Ｘ）に設置されて前記樹脂管（２０，３０）の前記端面を切削するブレード（１，１Ｘ，１Ｙ）と、
前記端面を切削して生じる切り粉を排出するための切り粉排出穴（２ｃ，２Ｘｃ，２Ｙｃ）であり、前記本体部（２，２Ｘ）の前記ブレード（１，１Ｘ，１Ｙ）に隣接した位置に設けられている切り粉排出穴（２ｃ，２Ｘｃ，２Ｙｃ）と、
を備えることを特徴とするスクレーパー（１００，２００）。
【請求項２】
前記樹脂管（２０，３０）は、第１樹脂管（２０）と第２樹脂管（３０）とから成り、
前記円筒形保持部（３，９，３Ｘ，３Ｙ）は、第１樹脂管（２０）を保持する第１保持部（３，３Ｘ）と、第２樹脂管（３０）を保持する第２保持部（９，３Ｙ）とから成ることを特徴とする請求項１に記載のスクレーパー（１００，２００）。
【請求項３】
第１保持部（３）は第１樹脂管（２０）の外側円筒面を保持し、
第２保持部（９）は第２樹脂管（３０）の内側円筒面を保持することを特徴とする請求項２に記載のスクレーパー（１００）。
【請求項４】
第１保持部（３）は第１樹脂管（２０）の外側円筒面を保持し、
第２保持部（９）は第２樹脂管（３０）の外側円筒面を保持することを特徴とする請求項２に記載のスクレーパー（２００）。
【請求項５】
前記円筒形保持部（３，９，３Ｘ，３Ｙ）と前記本体部（２，２Ｘ）が一体化されていることを特徴とする請求項１から４のいずれか１項に記載のスクレーパー（１００，２００）。
【請求項６】
前記スクレーパー（１００，２００）は手で回転させることができることを特徴とする請求項１から５のいずれか１項に記載のスクレーパー（１００，２００）。
【手続補正書】
【提出日】平成27年8月11日(2015.8.11)
【手続補正１】
【補正対象書類名】明細書
【補正対象項目名】００３３
【補正方法】変更
【補正の内容】
【００３３】
図５に示されるように、カシメ部３０５は、軸方向に窪んだ凹部３０６と、この凹部３０６の裏側の凸部３０７を有している。上下に隣接する２枚のステータラミネーション３００において、上側のステータラミネーション３００の凸部３０７を下側のステータラミネーション３００の凹部３０６に嵌め込むことで、カシメによる上下２枚のステータラミネーション３００の結合が行われる。そして、この構造が繰り返されることで、複数枚のステータラミネーション３００の積層が行われている。なお、図５に示す例では、最下層のステータラミネーション３００は、カシメ部３０５ではなく、その部分に貫通孔３０５’が形成されている。この貫通孔３０５’に上側で隣接するステータラミネーション３００のカシメ部３０５を構成する凸部３０７が嵌合している。
【手続補正２】
【補正対象書類名】明細書
【補正対象項目名】００４２
【補正方法】変更
【補正の内容】
【００４２】
省電力の薄型ハードディスク駆動装置用スピンドルモータとしては、外径２．５インチのディスクを実装して５４００ｒｐｍで定常回転させた時にコイルを流れる電流値が１１０ｍＡ以下であることが要求される。図１および図２のスピンドルモータ部２００において、ステータラミネーション３００の板厚と駆動時における消費される電流値の関係を計測した結果、図８のグラフのような関係が得られた。図８のデータによれば、板厚が０．２ｍｍを超える場合、または板厚が０．１ｍｍより薄い場合、電流値が１１０ｍＡを超えることが分かった。このことから、電流値低減効果のあるステータラミネーション３００の板厚は、０．１ｍｍ以上かつ０．２ｍｍ以下が好ましく、特に電流値低減効果がもっとも顕著である０．１０〜０．１８ｍｍの範囲が望ましいことが結論される。
【手続補正３】
【補正対象書類名】明細書
【補正対象項目名】００５２
【補正方法】変更
【補正の内容】
【００５２】
１００…ハードディスク駆動装置、１０１…磁気ディスク、１０２…取付けピン、１０３…固定部材、１０４…アーム、１０５…ヘッド部、１０６…アーム駆動部、１０７…ベース、１０８…カバー、２００…スピンドルモータ部、２０１…ステータコア、２０２…コイル、２０３…スリーブ、２０３ａ…段差部、２０４…シャフト、２０４ａ…フランジ部、２０５…カウンタープレート、２０６…ロータハブ、２０６ａ…外側円筒部、２０６ｂ…ディスク載置部、２０６ｃ…内側円筒壁、２０７…ロータマグネット、２０８…磁気吸引板、３００…ステータラミネーション、３０１…極歯、３０２…延在部、３０３…先端部、３０４…極歯の外縁、３０５…カシメ部、３０５ａ…短辺、３０５ｂ…傾斜部、３０５ｃ…平坦な中間部、３０５ｄ…長辺、３０６…凹部、３０７…凸部。